(57)【要約】      （修正有）【課題】床材を簡便且つ安全に設置することができる床材固定部材を提供する。【解決手段】床材固定部材１０及びこれを使用した床材固定方法によれば、水平方向に延出するフランジ部３２を具えた梁材３０の上側に、垂直方向に貫通している取付孔４４を具えた床材４０ａ，４０ｂを載置し、床材４０ａ，４０ｂの上側から取付孔４４に床材固定部材１０の本体１５を嵌込み、係止爪２２を床材４０ａ，４０ｂの下方に露出させ、ねじ軸２４をスライダ孔に沿って移動させるとともに、係止爪２２をフランジ部３２に係合可能な位置まで移動させ、ナット部材Ｎを締め付けることにより、床材４０ａ，４０ｂと梁材３０を締結することができるから、床材４０ａ，４０ｂの下方からの作業は不要で、床材４０ａ，４０ｂを簡便且つ安全に設置することができる。【選択図】図３
2020200712.tif 000002
【特許請求の範囲】
【請求項１】
上方に開口部を具える箱形の本体、前記本体から外側に水平に延び、該本体の上面を構成する床材係止縁部、及び前記本体の底面に設けられた直線状のスライダ孔を具えた床材係止部材と、
下方に係止爪を有する係止板、及び前記係止板の上方に向けて延び、前記スライダ孔に遊嵌しているねじ軸を具えた梁材係止部材と、
前記ねじ軸に螺合し、前記底面に係合するナット部材を有することを特徴とする、
床材固定部材。
【請求項２】
前記ねじ軸が、前記ナット部材を該ねじ軸に対して最もねじ込んだときに、前記床材係止縁部よりも突出しない寸法を有する、請求項１の床材固定部材。
【請求項３】
前記ナット部材が前記ねじ軸から外れることを防止する脱落防止機構をさらに具える、請求項１又は２の床材固定部材。
【請求項４】
前記本体が、前記梁材係止部材の前記ねじ軸を中心とする回転を防止する回転防止機構を具える、請求項１から３のいずれかの床材固定部材。
【請求項５】
梁材の上側に載置した床材を床材固定部材によって固定する方法であって、
前記梁材は、水平方向に延出するフランジ部を具え、
前記床材は、垂直方向に貫通している取付孔を具え、
前記床材固定部材は、上方に開口部を具える箱形の本体、前記本体から外側に水平に延び、該本体の上面を構成する床材係止縁部、及び前記本体の底面に設けられた直線状のスライダ孔を具えた床材係止部材と、
下方に係止爪を有する係止板、及び前記係止板の上方に向けて延び、前記スライダ孔に遊嵌しているねじ軸を具えた梁材係止部材と、
前記ねじ軸に螺合し、前記底面に係合するナット部材から構成され、
前記床材を前記梁材の上側に載置し、
前記床材係止縁部の下面が前記床材の上面に接するように前記本体を前記取付孔に嵌込み、前記係止爪を前記床材の下方に露出させ、
前記ねじ軸を前記スライダ孔に沿って移動させるとともに、前記係止爪を前記フランジ部に係合可能な位置まで移動させ、
前記ナット部材を締め付けることにより、前記床材と梁材を締結することを特徴とする、
床材固定方法。
【請求項６】
前記ねじ軸が、前記ナット部材を該ねじ軸に対して最もねじ込んだときに、前記床材係止縁部よりも突出しない寸法を有する、請求項５の床材固定方法。
【請求項７】
前記ナット部材が前記ねじ軸から外れることを防止する脱落防止機構をさらに具える、請求項５又は６の床材固定方法。
【請求項８】
前記本体が、前記梁材係止部材の前記ねじ軸を中心とする回転を防止する回転防止機構を具える、請求項５から７のいずれかの床材固定方法。
【請求項９】
前記本体の側面のいずれが前記取付孔の側面に接した場合でも前記床材係止縁部の下面が前記床材の上面に接するように、前記本体、床材係止縁部、及び取付孔の寸法が構成されている、請求項５から８のいずれかの床材固定方法。
【請求項１０】
前記取付孔の１単位が、隣接する２枚以上の床材に設けられた切欠きが組み合わされることにより形成されている、請求項５から９のいずれかの床材固定方法。
【発明の詳細な説明】
【技術分野】
【０００１】
本発明は、断面Ｕ字状又はＨ字状等の梁材の上に床材を固定するための部材（以下、「床材固定部材」という。）及び方法に関する。
【背景技術】
【０００２】
高速道路等の高架式道路においては、道路の下側に排水管等が配設されており、下側が剥き出しであると美観を損ねるため、吊り下げ固定した梁材に板状のルーバを垂直状に多数並べて配設し、美観を維持することが行われている。
【０００３】
ところで、上記の排水管のメンテナンスなど、高架式道路の下側における作業を行う場合、作業員が使用する足場を設置する必要がある。そこで、足場となる床材を梁材の上に設置することが行われている。ここで、床材を高架式道路の下側から設置しようとする場合、高所作業車を使用する必要があり、ルーバの取外しも必要になるなど、工数が掛かるという問題がある。そこで、床材を梁材に固定する部材も開発されており、その例として、特許文献１、２に示すものがある。
【先行技術文献】
【特許文献】
【０００４】
【特許文献１】特開平１０−１４０７２４号公報
【特許文献２】特開２０１８−２０４３２１号公報
【０００５】
特許文献１には、コ字状の切欠きと、ボルト孔を具えた、位置を変更できる水平板を有する下押え金具、挿通孔を具えた上押え金具、及び、上押え金具の挿通孔と下押え金具のボルト孔を貫通する連結ボルトで構成された鋼製床材固定金具が開示されている。
【０００６】
これによれば、梁材であるＨ型鋼のフランジに下押え金具の切欠きを嵌め合わせて取付け、そのフランジ上に鋼製床材を載置し、床材の上面から上押え金具を当て、上押え金具の挿通孔から挿入した連結ボルトを下押え金具のボルト孔にねじ込むことにより、鋼製床材をＨ型鋼のフランジに締め付け、固定することができるとされている。
【０００７】
また、別の実施形態として、それぞれ、コ字状の切欠きと鋼製床材に係合するフックを具えた一対のＬ字型鋼板、及びこれら一対のＬ字型鋼板を連結させる連結ボルトで鋼製された鋼製床材固定金具も開示されている。
【０００８】
これによれば、鋼製床材を隣接させて載置した後、その下方から、鋼製床材固定金具の切欠きを梁材であるＨ型鋼のフランジに嵌め合わせるとともに、フックを鋼製床材に係合させることにより、隣接する鋼製床材を１つの固定金具で固定できるとされている。
【０００９】
特許文献２には、床材に設けられた開口部に挿入され、その開口部を跨ぐように上方から係止する固定側係止部材と、梁材であるＵ型鋼のフランジ部などに係止する可動側係止部材と、固定側係止部材と可動側係止部材の距離を調節する締付けボルトを有する固定部材が開示されている。
【００１０】
これによれば、梁材に床材を載置し、床材の開口部に固定部材を嵌め込み、可動側係止部材を梁材に係止させた状態で締付けボルトを締めるだけで床材を固定することができるとされている。
【発明の概要】
【発明が解決しようとする課題】
【００１１】
上述したように、梁材の上に床材を固定するための固定部材が開発されているが、床材の下方からの作業を要する場合、高所作業車が必要になるなど、床材の固定作業に工数が掛かり、危険も伴う。すなわち、床材を簡便且つ安全に設置することができる固定部材が望まれている。一方で、床材の設置作業時などに固定部材が落下すること、及びこれによる事故を防止することも重要である。
【００１２】
そこで、本発明は、前述した事情に鑑み、床材を簡便且つ安全に設置することができる床材固定部材を提供することをその目的とする。
【課題を解決するための手段】
【００１３】
本発明は、上方に開口部を具える箱形の本体、前記本体から外側に水平に延び、該本体の上面を構成する床材係止縁部、及び前記本体の底面に設けられた直線状のスライダ孔を具えた床材係止部材と、
下方に係止爪を有する係止板、及び前記係止板の上方に向けて延び、前記スライダ孔に遊嵌しているねじ軸を具えた梁材係止部材と、
前記ねじ軸に螺合し、前記底面に係合するナット部材を有することを特徴とする床材固定部材、
又は、
梁材の上側に載置した床材を床材固定部材によって固定する方法であって、
前記梁材は、水平方向に延出するフランジ部を具え、
前記床材は、垂直方向に貫通している取付孔を具え、
前記床材固定部材は、上方に開口部を具える箱形の本体、前記本体から外側に水平に延び、該本体の上面を構成する床材係止縁部、及び前記本体の底面に設けられた直線状のスライダ孔を具えた床材係止部材と、
下方に係止爪を有する係止板、及び前記係止板の上方に向けて延び、前記スライダ孔に遊嵌しているねじ軸を具えた梁材係止部材と、
前記ねじ軸に螺合し、前記底面に係合するナット部材から構成され、
前記床材を前記梁材の上側に載置し、
前記床材係止縁部の下面が前記床材の上面に接するように前記本体を前記取付孔に嵌込み、前記係止爪を前記床材の下方に露出させ、
前記ねじ軸を前記スライダ孔に沿って移動させるとともに、前記係止爪を前記フランジ部に係合可能な位置まで移動させ、
前記ナット部材を締め付けることにより、前記床材と梁材を締結することを特徴とする床材固定方法によって前記課題を解決した。
【発明の効果】
【００１４】
本発明の床材固定部材及び方法によれば、水平方向に延出するフランジ部を具えた梁材の上側に、垂直方向に貫通している取付孔を具えた床材を載置し、床材の上側から取付孔に床材固定部材の本体を嵌込み、係止爪を床材の下方に露出させ、ねじ軸をスライダ孔に沿って移動させるとともに、係止爪をフランジ部に係合可能な位置まで移動させ、ナット部材を締め付けることにより、床材と梁材を締結することができる。よって、床材の下方からの作業は不要なので、床材を簡便且つ安全に設置することができる。
【００１５】
また、ナット部材をねじ軸に対して最もねじ込んだときにねじ軸が床材係止縁部よりも突出しない構成とすれば、床材の上を移動する使用者が躓くことを防止できる、安全性の高い床材固定部材及び方法とすることができる。
【００１６】
また、ナット部材がねじ軸から外れることを防止する脱落防止機構を具えた構成とすれば、ナット部材がねじ軸から外れ、梁材係止部材が落下するという問題を防止することができるので、安全性をさらに高めることができる。
【００１７】
また、梁材係止部材のねじ軸を中心とする回転を防止する回転防止機構を本体が具える構成とすることにより、係止爪がフランジ部に係合し得る位置に合わせ易いので、設置作業を容易にすることができる。
【００１８】
また、本体の側面のいずれが取付孔の側面に接した場合でも床材係止縁部の下面が床材の上面に接するように、本体、床材係止縁部、及び取付孔の寸法を構成することにより、床材固定部材の位置がずれて床材の取付孔を通じて落下してしまうことを防止することができる。
【００１９】
また、取付孔の１単位を隣接する２枚以上の床材に設けられた切欠きが組み合わされることにより形成すれば、１つの床材固定部材で複数の床材と梁材を締結することができるので、設置作業をさらに容易にすることができる。
【図面の簡単な説明】
【００２０】
【図１】本発明の実施形態の床材固定部材の平面図。
【図２】図１の２−２線断面図。
【図３】図１の床材固定部材を設置したときの断面図。
【図４】図３の平面図。
【発明を実施するための形態】
【００２１】
本発明の実施形態を図１〜４を参照して説明する。但し、本発明は、この実施形態に限定されるものではない。
【００２２】
図１に示す床材固定部材１０は、主として、床材係止部材１２と梁材係止部材２０で構成されている。床材係止部材１２は、上方に開口部１４を具える箱形の本体１５と、本体１５から外側に向けて水平に延びる床材係止縁部１６を有している。図示しているように、床材係止縁部１６は、本体１５の上面を構成している。また、本体１５の底面１１には、直線状のスライダ孔１８が設けられている。なお、本体１５は、全体として箱形であれば、水平方向全てに側壁を有していなくともよい（図２参照）。
【００２３】
梁材係止部材２０は、係止板２６と、係止板２６の下方に設けられている係止爪２２、係止板２６の上方に向けて延びるねじ軸２４で構成されている。係止爪２２は、係止板２６と略平行な面を有するフックであり、後述するように、梁材３０のフランジ部３２（図３参照）に係合可能に構成されている。ねじ軸２４は、床材係止部材１２のスライダ孔１８に遊嵌するように挿通されている。ここで、スライダ孔１８は、ねじ軸２４をスライダ孔１８に沿って移動させたときに、係止爪２２がフランジ部３２に係合可能な位置と、係合不能な位置とで移動できる範囲で設けられている。
【００２４】
ねじ軸２４には、ナット部材Ｎが螺合しており、床材係止部材１２の本体１５の底面を係止板２６とナット部材Ｎで挟むようにして、床材係止部材１２と梁材係止部材２０は一体化されている。よって、ナット部材Ｎを締めることにより、床材係止部材１２の本体１５の底面と梁材係止部材２０の係止板２６は接近する。なお、ナット部材Ｎと本体１５の底面の間にはワッシャを介在させてもよい。
【００２５】
ここで、ねじ軸２４の長さは、ナット部材Ｎを最もねじ込んだときに、床材係止縁部１６よりも突出しない寸法とするのがよい。本構成とすれば、床材４０ａ，４０ｂ（図３参照）の上を移動する使用者がねじ軸２４に躓くことを防止でき、安全性を高めることができるからである。また、ねじ軸２４は、ナット部材Ｎを緩めたときにナット部材Ｎがねじ軸２４から外れることを防止する脱落防止機構（図示省略）を具えることが望ましい。脱落防止機構としては、例えば、ナット部材Ｎを内側に環状の弾性体を具えた緩み止めナットとすることや、ねじ軸２４の先端の径方向に貫通するピンを取付けるというようなものが挙げられる。脱落防止機構を具えることにより、ナット部材Ｎがねじ軸２４から外れ、梁材係止部材２０が落下するという問題を防止することができるので、安全性をさらに高めることができる。
【００２６】
また、床材係止部材１２の本体１５は、回転防止機構１３を具えるのがよい。回転防止機構１３は、梁材係止部材２０のねじ軸２４を中心とする回転を防止する機構である。これは、例えば、床材係止部材１２の本体１５から下方へ延びる突起（床材固定部材１０では板状）とすることができる。床材固定部材１０の場合、梁材係止部材２０がねじ軸２４を中心に回転したとき、回転防止機構１３に接触して、それ以上の回転が防止される。本構成により、係止爪２２が梁材３０のフランジ部３２（図３参照）に係合し得る位置に合わせ易いので、設置作業を容易にすることができる。なお、回転防止機構１３によって、係止爪２２が、常に、梁材３０のフランジ部３２に係合可能な方向に向くように構成するのがよい。
【００２７】
次に、図３，４を参照して、床材固定部材１０によって、梁材３０の上側に載置した隣接する一対の床材４０ａ，４０ｂを固定する方法を説明する。梁材３０は、例えば、Ｕ型鋼やＨ型鋼であり、水平方向に延出するフランジ部３２を有する。まず、梁材３０のフランジ部３２の上側に、床材４０ａ，４０ｂを載置する。床材４０ａ，４０ｂには、それぞれ、垂直方向に貫通する切欠き４２ａ，４２ｂが設けられている。ここで、切欠き４２ａ，４２ｂが組み合わされることにより、床材固定部材１０の１単位の取付孔４４が梁材３０のフランジ部３２を跨ぐような位置に形成される（図４も参照）。
【００２８】
上記のように形成された取付孔４４に、上述した床材固定部材１０の床材係止縁部１６の下面が床材４０ａ，４０ｂの上面に接するように、本体１５を嵌込み、係止爪２２を床材４０ａ，４０ｂの下方に露出させる。このとき、ナット部材Ｎは、ねじ軸２４をスライダ孔１８に対して移動させることができる程度の緩さでねじ軸２４に螺合しており、前述した嵌込み作業は、係止爪２２がフランジ部３２に当たらない様、ねじ軸２４をスライダ孔１８の範囲内で移動させた上で行われる。次に、係止爪２２がフランジ部３２に係合可能な位置まで、ねじ軸２４をスライダ孔１８に沿って移動させる。そして、ナット部材Ｎを締め付け、床材４０１，４０ｂと梁材３０を締結することにより、一対の床材４０ａ，４０ｂは、梁材３０の上に固定される。
【００２９】
このように、本発明の床材固定部材１０を用いた床材固定方法によれば、床材固定部材１０の垂直方向上側からの作業のみで床材４０ａ，４０ｂを梁材３０に固定することができ、床材４０ａ，４０ｂの下方からの作業は不要なので、床材４０ａ，４０ｂを簡便且つ安全に設置することができる。また、１つの床材固定部材１０で複数の床材４０ａ，４０ｂと梁材３０を締結することができるので、設置作業をさらに容易にすることができる。なお、取付孔４４は、その１単位が、１つの床材（例えば、床材４０ａのみ）に設けられた貫通孔であってもよく、隣接する４枚の床材にそれぞれ設けられた切欠きが組み合わされることにより形成されるようにしてもよい。
【００３０】
また、本体１５ｎ側面のいずれが取付孔４４の側面に接した場合でも、床材係止縁部１６の下面が床材４０ａ，４０ｂの上面に接するように、本体１５、床材係止縁部１６、取付け孔４４の各寸法が構成されているのがよい。本構成によれば、床材固定部材１０の位置がずれて床材４０ａ，４０ｂの取付孔４４を通じて床材固定部材１０が落下してしまうことを防止することができる。
【００３１】
以上説明したように、本発明によれば、床材を簡便且つ安全に設置することができる床材固定部材を提供することができる。
【符号の説明】
【００３２】
１０    床材固定部材
１１    底面
１２    床材係止部材
１３    回転防止機構
１４    開口部
１５    本体
１６    床材係止縁部
１８    スライダ孔
２０    梁材係止部材
２２    係止爪
２４    ねじ軸
２６    係止板
３０    梁材
３２    フランジ部
４０ａ，４０ｂ  床材
４４    取付孔
Ｎ      ナット部材
【図１】
2020200712.tif 000003
【図２】
2020200712.tif 000004
【図３】
2020200712.tif 000005
【図４】
2020200712.tif 000006